(57)【特許請求の範囲】
【請求項１】
第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記第１系統と前記第２系統との間で空気を供給可能とする連通部と、
その連通部を連通状態と非連通状態とに切換自在な切換部とを備え、
前記連通部は、空気の流れ方向において、前記第１系統の前記第１ファンよりも下流側部位と前記第２系統の前記第２ファンよりも下流側部位を連通接続し、
前記切換部により前記連通部を非連通状態に切り換えて前記第１ファン及び前記第２ファンを作動させる非連通運転と、前記切換部により前記連通部を連通状態に切り換えて前記第１ファン及び前記第２ファンの一方を作動させる連通運転とを実行可能な制御部が備えられ、
前記第１温調部及び前記第２温調部のうち、一方が加熱作動及び冷却作動の両方を実行可能に構成され、且つ、他方が冷却作動のみ実行可能に構成され、
前記制御部は、前記連通運転として、前記第１温調部及び前記第２温調部のうち、少なくとも一方を冷却作動させ且つ前記第１ファン及び前記第２ファンのうち、冷却作動させる温調部と同じ系統に属するファンを作動させる冷房運転と、前記第１温調部及び前記第２温調部の一方を加熱作動させ且つ前記第１ファン及び前記第２ファンのうち、加熱作動させる温調部と同じ系統に属するファンを作動させる暖房運転とを実行可能に構成されている空調装置。
【請求項２】
装置本体には、前記第１ファンからの空気を供給自在な第１チャンバーと、前記第２ファンからの空気を供給自在な第２チャンバーとが区画形成され、
前記連通部は、前記第１チャンバーと前記第２チャンバーとの間を連通接続している請求項１に記載の空調装置。
【請求項３】
前記空調対象空間において前記第１ゾーン及び前記第２ゾーンとは異なるゾーンに空気を供給する追加系統が備えられ、
前記装置本体には、前記連通部として、前記追加系統と前記第１チャンバーと前記第２チャンバーとに連通接続された連通チャンバーが区画形成され、
前記切換部は、前記第１チャンバーと前記連通チャンバーとの間及び前記第２チャンバーと前記連通チャンバーとの間を連通状態と非連通状態とに切り換えることで、前記連通部を連通状態と非連通状態とに切換自在に構成されている請求項２に記載の空調装置。
【請求項４】
前記第１系統における前記第１ゾーンをインテリアゾーンとし、前記第２系統における前記第２ゾーンをペリメータゾーンとする請求項１〜３のいずれか１項に記載の空調装置。
【発明の詳細な説明】
【技術分野】
【０００１】
本発明は、空調対象空間における複数のゾーンを空調する空調装置に関する。
【背景技術】
【０００２】
オフィス等の空調対象空間では、インテリアゾーンとペリメータゾーン等の複数のゾーンを有しており、空調装置は、温調部にて温調された空気を複数のゾーンに供給することで、複数のゾーンの空調を行う。
【０００３】
インテリアゾーンとペリメータゾーンを有する空調対象空間では、インテリアゾーンとペリメータゾーンとで同じ空調要求が有る場合だけでなく、例えば、冬期等には、インテリアゾーンでは冷房要求が有り、ペリメータゾーンでは暖房要求が有る等、複数のゾーンで空調要求が異なる場合もある。
【０００４】
そこで、従来、第１ファンの通風作用により空調対象空間からの空気を第１温調部にて温調してインテリアゾーンに供給するインテリア系統と、第２ファンの通風作用により空調対象空間からの空気を第２温調部にて温調してペリメータゾーンに供給するペリメータ系統とを備えた空調装置が提案されている（例えば、特許文献１参照。）。この特許文献１に記載の空調装置では、インテリア系統とペリメータ系統とで空気を各別に流通させることで、インテリア系統によりインテリアゾーンを冷房しながら、ペリメータ系統によりペリメータゾーンを暖房できる。
【０００５】
上記特許文献１に記載の空調装置では、インテリア系統とペリメータ系統とで各別に空気を流通させるだけでなく、インテリア系統とペリメータ系統との間で空気を供給可能とする連通部と、その連通部を連通状態と非連通状態とに切換自在な切換部とを備えている。これにより、切換部により連通部を連通状態に切り換えることで、第１温調部にて温調された空気を連通部を通してペリメータ系統にも供給して、インテリアゾーンだけでなく、ペリメータゾーンにも供給可能としている。また、インテリア系統からペリメータ系統への空気供給だけでなく、第２温調部にて温調された空気を連通部を通してインテリア系統にも供給して、ペリメータゾーンだけでなく、インテリアゾーンにも供給可能としている。よって、省エネルギー化を図るために、第１温調部及び第２温調部の一方だけを作動させて、インテリアゾーンとペリメータゾーンの両方を空調することもできる。
【先行技術文献】
【特許文献】
【０００６】
【特許文献１】特公平７−９９２６８号公報
【発明の概要】
【発明が解決しようとする課題】
【０００７】
しかしながら、上記特許文献１に記載の空調装置では、空気の流れ方向において、インテリア系統の第１ファンよりも上流側部位とペリメータ系統の第２ファンよりも上流側部位とを連通部にて連通接続している。したがって、第１温調部にて温調された空気をインテリアゾーンとペリメータゾーンとの両方に供給する場合には、第１ファンと第２ファンとの両方を作動させなければならず、第２温調部にて温調された空気をインテリアゾーンとペリメータゾーンとの両方に供給する場合にも、第１ファンと第２ファンとの両方を作動させなければならない。よって、第１温調部及び第２温調部の一方だけを作動させたとしても、ファンについては第１ファンと第２ファンの両方を作動させなければならず、消費エネルギーの増大を招くことになる。
【０００８】
この実情に鑑み、本発明の主たる課題は、省エネルギー化を図りながら、空調対象空間における複数のゾーンを空調できる空調装置を提供する点にある。
【課題を解決するための手段】
【０００９】
本発明の第１特徴構成は、第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記第１系統と前記第２系統との間で空気を供給可能とする連通部と、その連通部を連通状態と非連通状態とに切換自在な切換部とを備え、前記連通部は、空気の流れ方向において、前記第１系統の前記第１ファンよりも下流側部位と前記第２系統の前記第２ファンよりも下流側部位を連通接続し、
前記切換部により前記連通部を非連通状態に切り換えて前記第１ファン及び前記第２ファンを作動させる非連通運転と、前記切換部により前記連通部を連通状態に切り換えて前記第１ファン及び前記第２ファンの一方を作動させる連通運転とを実行可能な制御部が備えられ、
前記第１温調部及び前記第２温調部のうち、一方が加熱作動及び冷却作動の両方を実行可能に構成され、且つ、他方が冷却作動のみ実行可能に構成され、
前記制御部は、前記連通運転として、前記第１温調部及び前記第２温調部のうち、少なくとも一方を冷却作動させ且つ前記第１ファン及び前記第２ファンのうち、冷却作動させる温調部と同じ系統に属するファンを作動させる冷房運転と、前記第１温調部及び前記第２温調部の一方を加熱作動させ且つ前記第１ファン及び前記第２ファンのうち、加熱作動させる温調部と同じ系統に属するファンを作動させる暖房運転とを実行可能に構成されている点にある。
【００１０】
本特徴構成によれば、連通部が、空気の流れ方向において、第１系統の第１ファンよりも下流側部位と第２系統の第２ファンよりも下流側部位を連通接続しているので、第１ファンの通風作用は、第１系統だけでなく、連通状態の連通部を通して第２系統にも作用させることができ、第２ファンの通風作用も、第２系統だけでなく、連通状態の連通部を通して第１系統にも作用させることができる。これにより、第１温調部及び第２温調部の一方だけを作動させる場合には、切換部にて連通部を連通状態に切り換え、第１ファン及び第２ファンのうち作動させた温調部に対応する一方のファンだけを作動させることで、その一方のファンの通風作用を第１系統及び第２系統の両方に作用させて、第１温調部及び第２温調部の一方にて温調された空気を第１ゾーン及び第２ゾーンの両方に供給できる。よって、消費エネルギーの低減を図り、省エネルギー化を図りながら、空調対象空間における複数のゾーンを空調できる。
【００１１】
また、第１ゾーンと第２ゾーンとで空調要求が異なる場合には、切換部にて連通部を非連通状態に切り換え、第１ファン及び第２ファンの両方を作動させることで、第１系統と第２系統とで各別に空気を流通させながら、各温調部にて温調された空気を第１ゾーンと第２ゾーンとに各別に供給できる。これにより、第１ゾーンと第２ゾーンとで空調要求が異なる場合でも、第１ゾーンと第２ゾーンとの夫々に応じた空調を行える。
【００１３】
本特徴構成によれば、第１ゾーンと第２ゾーンとで空調要求が異なる場合には、制御部が非連通運転を行うことができ、第１ゾーンと第２ゾーンとで空調要求が同じ場合には、第１温調部及び第２温調部の一方だけを作動させるために、制御部が連通運転を行える。第１ゾーンと第２ゾーンとの空調要求がどのような要求かによって、制御部が非連通運転を行うか連通運転を行うかを切り換えることで、第１ゾーンと第２ゾーンとからの空調要求に適切に対応した空調を行える。しかも、連通運転では、第１ファン及び第２ファンの一方を作動停止させることで、省エネルギー化を図ることができる。
【００１４】
本発明の第２特徴構成は、装置本体には、前記第１ファンからの空気を供給自在な第１チャンバーと、前記第２ファンからの空気を供給自在な第２チャンバーとが区画形成され、前記連通部は、前記第１チャンバーと前記第２チャンバーとを連通接続している点にある。
【００１５】
本特徴構成によれば、装置本体に第１チャンバーと第２チャンバーとを区画形成しているので、第１ファンからの第１チャンバーへの空気の供給、及び、第２ファンからの第２チャンバーへの空気の供給を適切に行える。よって、連通部としては、第１チャンバーと第２チャンバーとを連通接続するという簡易な構成を有するだけでよく、構成の簡素化を図れる。
【００１６】
本発明の第３特徴構成は、前記空調対象空間において前記第１ゾーン及び前記第２ゾーンとは異なるゾーンに空気を供給する追加系統が備えられ、
前記装置本体には、前記連通部として、前記追加系統と前記第１チャンバーと前記第２チャンバーとに連通接続された連通チャンバーが区画形成され、
前記切換部は、前記第１チャンバーと前記連通チャンバーとの間及び前記第２チャンバーと前記連通チャンバーとの間を連通状態と非連通状態とに切り換えることで、前記連通部を連通状態と非連通状態とに切換自在に構成されている点にある。
【００１７】
本特徴構成によれば、追加系統は、連通チャンバーにて第１チャンバーと第２チャンバーとに連通接続されているので、第１チャンバーからの空気及び第２チャンバーからの空気の一方又は両方を用いて、第１ゾーン及び第２ゾーンとは異なるゾーンの空調を行える。しかも、連通チャンバーは、第１チャンバーと第２チャンバーとを連通接続するための機能と、第１チャンバーからの空気及び第２チャンバーからの空気を第１ゾーン及び第２ゾーンとは異なるゾーンに供給するための機能とを有することができる。これにより、連通チャンバーを備えるだけで、連通部を構成できるとともに、追加系統による異なるゾーンの空調を行うことができ、構成の簡素化を図れる。また、切換部は、第１チャンバーと連通チャンバーと第２チャンバーとのチャンバー同士の間を連通状態と非連通状態とに切り換えるという簡易な構成により、連通部を連通状態と非連通状態とに適切に切り換えることができる。
【００１８】
本発明の第４特徴構成は、前記第１系統における前記第１ゾーンをインテリアゾーンとし、前記第２系統における前記第２ゾーンをペリメータゾーンとする点にある。
【００１９】
本特徴構成によれば、インテリアゾーンとペリメータゾーンとを有する空調対象空間において、インテリアゾーンとペリメータゾーンとからの空調要求に適切に対応した空調を行い、第１温調部及び第２温調部の一方、及び、第１ファン及び第２ファンの一方を作動させて、省エネルギー化を図りながら、インテリアゾーンとペリメータゾーンの両方を空調できる。
【図面の簡単な説明】
【００２０】
【図１】第１冷房・暖房運転における空調装置の全体概略構成を示す図
【図２】第２冷房・暖房運転における空調装置の全体概略構成を示す図
【図３】第１冷房・冷房運転における空調装置の全体概略構成を示す図
【図４】第２冷房・冷房運転における空調装置の全体概略構成を示す図
【図５】部分冷房運転における空調装置の全体概略構成を示す図
【図６】暖房・暖房運転における空調装置の全体概略構成を示す図
【図７】第１部分暖房運転における空調装置の全体概略構成を示す図
【図８】第２部分暖房運転における空調装置の全体概略構成を示す図
【発明を実施するための形態】
【００２１】
本発明に係る空調装置の実施形態を図面に基づいて説明する。
図１〜図８は、空調装置１の全体概略構成を示しており、空気や外気が流通する流路を太線にて示し、空気や外気が流通しない流路を細線にて示し、作動する機器を実線にて示し、作動しない機器を点線にて示している。また、第１〜第１３ダンパーＤ１〜Ｄ１３について、開状態のものを白抜きにて図示し、閉状態のものを黒塗りで示している。図１〜図８では、どの流路を太線で示すのか、どの機器を実線にて示すのか、及び、どのダンパーを黒塗りで示すのかが異なるだけである。
【００２２】
そこで、まずは、図１に基づいて本発明に係る空調装置１の全体構成を説明し、次に、図１〜図８に基づいて空調装置１の各運転を説明し、最後に、本発明に係る空調装置１の特徴構成について説明する。
【００２３】
〔全体構成〕
以下、図１に基づいて本発明に係る空調装置１の全体構成を説明する。
空調装置１は、ファン１０１、２０１や温調部１０２、２０２等を有する装置本体２を備え、その装置本体２と空調対象空間Ｋとの間で空気を流通させて空調対象空間Ｋの空調を行う。空調対象空間Ｋは、インテリアゾーンＫ１とペリメータゾーンＫ２，Ｋ３とを有しており、空調装置１によりインテリアゾーンＫ１及びペリメータゾーンＫ２，Ｋ３の夫々の空調を行う。この実施形態では、ペリメータゾーンを２つ有しており、インテリアゾーンを第１ゾーンＫ１とし、第１のペリメータゾーンを第２ゾーンＫ２とし、第２のペリメータゾーンを第３ゾーンＫ３としている。
【００２４】
空調装置１は、第１ゾーンＫ１と第２ゾーンＫ２との夫々を空調するために、第１ファン１０１の通風作用により空調対象空間Ｋからの空気を第１温調部１０２にて温調して第１ゾーンＫ１に供給する第１系統１００と、第２ファン２０１の通風作用により空調対象空間Ｋからの空気を第２温調部２０２にて温調して第２ゾーンＫ２に供給する第２系統２００とを備えている。
【００２５】
第１系統１００は、空気の流れ方向で空調対象空間Ｋ側から順に、第２ゾーンＫ２から装置本体２に空気を供給（還気）する第１還気路１０３、その第１還気路１０３からの空気が供給される第１還気チャンバー１０４、第１フィルター１０５、第１温調部１０２、第１ファン１０１、第１ファン１０１からの空気が供給される第１給気チャンバー１０６、その第１給気チャンバー１０６の空気を装置本体２から第１ゾーンＫ１に供給（給気）する第１給気路１０７を備えている。
【００２６】
第２系統２００は、空気の流れ方向で空調対象空間Ｋ側から順に、第１ゾーンＫ１から装置本体２に空気を供給（還気）する第２還気路２０３、その第２還気路２０３からの空気が供給される第２還気チャンバー２０４、第２フィルター２０５、第２温調部２０２、加湿部２１０、第２ファン２０１、第２ファン２０１からの空気が供給される第２給気チャンバー２０６、その第２給気チャンバー２０６の空気を装置本体２から第２ゾーンＫ２に供給（給気）する第２給気路２０７を備えている。
【００２７】
装置本体２には、第１還気チャンバー１０４と第１給気チャンバー１０６と第２還気チャンバー２０４と第２給気チャンバー２０６とが区画形成され、更に、第１温調部１０２が設置された第１温調室１０８と第１ファン１０１が設置された第１ファン室１０９と第２温調部２０２が設置された第２温調室２０８と第２ファン２０１が設置された第２ファン室２０９とが区画形成されている。
【００２８】
上述の如く、第１還気路１０３は、第２ゾーンＫ２からの空気を第１還気チャンバー１０４に供給しており、第２還気路２０３は、第１ゾーンＫ１からの空気を第２還気チャンバー２０４に供給しているので、第１系統１００では、第２ゾーンＫ２からの空気を温調して第１ゾーンＫ１に供給し、第２系統２００では、第１ゾーンＫ１からの空気を温調して第２ゾーンＫ２に供給している。これにより、第１系統１００と第２系統２００では、温調された空気の供給先のゾーンとは反対側のゾーンから温調対象の空気の供給を受ける。
【００２９】
空調装置１は、第１系統１００及び第２系統２００に加えて、装置本体２にて温調された空気を第３ゾーンＫ３に供給する第３系統３００を備えている。この第３系統３００は、第１系統１００及び第２系統２００の機器や流路の一部を兼用して構成されている。第３系統３００は、第１ファン１０１及び第２ファン２０１のいずれかの通風作用により、空調対象空間Ｋからの空気を第１温調部１０２及び第２温調部２０２のいずれかにて温調して第３ゾーンＫ３に供給している。
【００３０】
第３系統３００は、空調対象空間Ｋにおける第３ゾーンＫ３から装置本体２に空気を供給（還気）する第３還気路３０１と、第１ファン１０１及び第２ファン２０１のいずれかからの空気が供給される第３チャンバー３０２と、その第３チャンバー３０２の空気を装置本体２から第３ゾーンＫ３に供給（給気）する第３給気路３０３とを備えている。
【００３１】
第３還気路３０１は、第１還気路１０３の途中部位に接続され、空調対象空間Ｋにおける第３ゾーンＫ３からの空気を第１還気路１０３を通して第１還気チャンバー１０４に供給する。第３チャンバー３０２は、装置本体２に区画形成され、第１給気チャンバー１０６及び第２給気チャンバー２０６と連通接続されている。
【００３２】
空調装置１は、空調対象空間Ｋの冷房や暖房を行うと同時に、空調対象空間Ｋの換気を行う。空調装置１は、空調対象空間Ｋからの空気に外気を混合してその混合後の空気を温調して空調対象空間Ｋに供給し、空調対象空間Ｋからの空気の一部を外部に排気することで、空調対象空間Ｋの換気を行う。空調装置１は、空調対象空間Ｋに外気を供給する外気供給系統４０１と、空調対象空間Ｋからの空気の一部を外部に排気する排気系統４０２とを備えている。
【００３３】
外気供給系統４０１は、外気を装置本体２に供給する外気供給路４０３と、その外気供給路４０３に配置された外気供給ファン４０４と、外気供給路４０３からの空気が供給される外気チャンバー４０５とを備え、第１系統１００及び第２系統２００の流路の一部を兼用して構成されている。外気チャンバー４０５は、装置本体２に区画形成され、第１還気チャンバー１０４及び第２還気チャンバー２０４と連通接続されている。
【００３４】
排気系統４０２は、第１ゾーンＫ１からの空気の一部を排気する第１排気路４０６と、第２ゾーンＫ２からの空気の一部を排気する第２排気路４０７と、第３ゾーンＫ３からの空気の一部を排気する第３排気路４０８とを備え、第１系統１００及び第２系統２００の流路の一部を兼用して構成されている。第１排気路４０６は、第２還気路２０３の途中部位から分岐され、第２排気路４０７は、第１還気路１０３の途中部位から分岐され、第３排気路４０８は、第３還気路３０１の途中部位から分岐されている。第１排気路４０６と第２排気路４０７と第３排気路４０８は、その下流側部位が合流接続されており、その合流排気路４０９に排気ファン４１０が配置され、合流排気路４０９にて外部に空気を排気している。
【００３５】
装置本体２に区画形成されるチャンバーや室について説明を加える。装置本体２の中央部に外気チャンバー４０５が配置され、装置本体２の長手方向（横幅方向）の一方側（図中右側）に、第１系統１００におけるチャンバー１０４、１０６や室１０８、１０９が装置本体２の長手方向に並ぶ状態で配置され、且つ、装置本体２の長手方向の他方側（図中左側）に、第２系統２００におけるチャンバー２０４、２０６や室２０８、２０９が装置本体２の長手方向に並ぶ状態で配置されている。これにより、第１系統１００と第２系統２００とでチャンバーや室を対称的にバランスよく配置でき、装置本体２の構成や形状の簡素化を図ることができる。
【００３６】
第１還気チャンバー１０４は、装置本体２の横幅方向で外気チャンバー４０５に隣接する状態で配置され、外気チャンバー４０５に連通接続されている。第２還気チャンバー２０４も、装置本体２の長手方向で外気チャンバー４０５に隣接する状態で配置され、外気チャンバー４０５に連通接続されている。これにより、外気チャンバー４０５に供給された外気が第１還気チャンバー１０４及び第２還気チャンバー２０４に供給可能に構成されている。第２還気チャンバー２０４は、外気チャンバー４０５よりも装置本体２の短手方向の一方側で第１還気チャンバー１０４側に回り込むＬ字状に形成され、その第２還気チャンバー２０４の回り込み部位と第１還気チャンバー１０４とが連通接続され、第１還気チャンバー１０４と第２還気チャンバー２０４との間で空気を供給可能に構成されている。
【００３７】
第１温調室１０８は、装置本体２の長手方向で第１還気チャンバー１０４に隣接する状態で配置され、第１還気チャンバー１０４に連通接続されており、その連通接続部分に第１フィルター１０５が配置されている。これにより、第１還気チャンバー１０４の空気が第１フィルター１０５を通過する状態で第１温調部１０２に供給可能に構成されている。第１ファン室１０９は、装置本体２の長手方向で第１温調室１０８に隣接する状態で配置され、第１温調室１０８に連通接続されており、第１温調部１０２にて温調された空気が第１ファン室１０９に供給可能に構成されている。第１給気チャンバー１０６は、装置本体２の長手方向及び短手方向で第１ファン室１０９に隣接するＬ字状に形成され、第１ファン室１０９に連通接続されており、第１ファン１０１からの空気が第１給気チャンバー１０６に供給可能に構成されている。
【００３８】
第２温調室２０８、第２ファン室２０９、及び、第２給気チャンバー２０６は、第１温調室１０８、第１ファン室１０９及び第１給気チャンバー１０６に対して装置本体２の長手方向で対称的に配置されているとともに、その形状や構成自体については、第１温調室１０８、第１ファン室１０９、第１給気チャンバー１０６と同様に構成されている。ちなみに、第２温調室２０８には、第２温調部２０２に加えて、加湿部２１０が備えられている。
【００３９】
第３チャンバー３０２は、装置本体２の短手方向で外気チャンバー４０５と反対側に配置され、装置本体２の長手方向で第１給気チャンバー１０６と第２給気チャンバー２０６とに亘る長尺状に形成され、第１給気チャンバー１０６及び第２給気チャンバー２０６に連通接続されている。これにより、第１給気チャンバー１０６の空気が、第３チャンバー３０２に供給可能で、更に、第３チャンバー３０２を経由して第２給気チャンバー２０６に供給可能に構成されている。逆に、第２給気チャンバー２０６の空気も、第３チャンバー３０２に供給可能で、更に、第３チャンバー３０２を経由して第１給気チャンバー１０６に供給可能に構成されている。
【００４０】
空調装置１は、複数のダンパーＤ１〜Ｄ１３を備えている。第１ダンパーＤ１〜第７ダンパーＤ７は、開状態と閉状態とに切り換えることで、装置本体２に区画形成されたチャンバー同士の間を連通状態と非連通状態とに切り換え、第８ダンパーＤ８〜第１３ダンパーＤ１３は、開状態と閉状態とに切り換えることで、流路を流通状態と非流通状態とに切り換える。このように、複数のダンパーＤ１〜Ｄ１３の夫々を開状態と閉状態とに切り換えることで、空気や外気の流通経路を切り換える。
【００４１】
第１ダンパーＤ１は、第１還気チャンバー１０４と第２還気チャンバー２０４との間を連通状態と非連通状態とに切り換える。第２ダンパーＤ２は、外気チャンバー４０５と第１還気チャンバー１０４との間を連通状態と非連通状態とに切り換える。第３ダンパーＤ３は、外気チャンバー４０５と第２還気チャンバー２０４との間を連通状態と非連通状態とに切り換える。第４ダンパーＤ４は、第１ファン１０１（第１ファン室１０９）と第１給気チャンバー１０６との間を連通状態と非連通状態とに切り換える。第５ダンパーＤ５は、第１給気チャンバー１０６と第３チャンバー３０２との間を連通状態と非連通状態とに切り換える。第６ダンパーＤ６は、第２ファン２０１（第２ファン室２０９）と第２給気チャンバー２０６との間を連通状態と非連通状態とに切り換える。第７ダンパーＤ７は、第２給気チャンバー２０６と第３チャンバー３０２との間を連通状態と非連通状態とに切り換える。
【００４２】
第８ダンパーＤ８は、第１還気路１０３における第２排気路４０７の分岐箇所よりも第２ゾーンＫ２側に配置されて第１還気路１０３を流通状態と非流通状態とに切り換える。第９ダンパーＤ９は、第２還気路２０３における第１排気路４０６の分岐箇所よりも第１ゾーンＫ１側に配置されて第２還気路２０３を流通状態と非流通状態とに切り換える。第１０ダンパーＤ１０は、第３還気路３０１における第３排気路４０８の分岐箇所よりも第３ゾーンＫ３側に配置されて第３還気路３０１を流通状態と非流通状態とに切り換える。第１１、第１２、第１３ダンパーＤ１１は、第１、第２、第３排気路４０６、４０７、４０８の夫々を流通状態と非流通状態とに切り換える。
【００４３】
空調装置１は、各流路における空気や外気の風量を可変に制御自在な複数の風量制御装置Ｆ１〜Ｆ５を備えている。第１風量制御装置Ｆ１は、第１給気路１０７の途中部位に備えられ、第１ゾーンＫ１に供給する空気の風量を制御している。第２風量制御装置Ｆ２は、第２給気路２０７の途中部位に備えられ、第２ゾーンＫ２に供給する空気の風量を制御している。第３風量制御装置Ｆ３は、第３給気路３０３の途中部位に備えられ、第３ゾーンＫ３に供給する空気の風量を制御している。第４風量制御装置Ｆ４は、外気供給路４０３の途中部位に備えられ、装置本体２に供給する外気の風量を制御している。第５風量制御装置Ｆ５は、合流排気路４０９の途中部位に備えられ、外部に排気する空気の風量を制御している。ちなみに、第４、第５風量制御装置Ｆ４、Ｆ５は、外気の風量を設定風量の一定量に制御するものであってもよい。
【００４４】
空調装置１は、その運転を制御する制御部３を備えている。制御部３は、第１ファン１０１、第２ファン２０１、外気供給ファン４０４、及び、排気ファン４１０の作動状態を制御し、第１温調部１０２、第２温調部２０２及び加湿部２１０の作動状態を制御し、第１〜第１３ダンパーＤ１〜Ｄ１３の切換制御を行い、第１〜第５風量制御装置Ｆ１〜Ｆ５の作動状態を制御する。
【００４５】
第１温調部１０２は、例えば、冷水コイルを備えて、空気を冷却する冷却作動のみ実行可能であり、第２温調部２０２は、例えば、温水コイルと冷水コイルとを備えて、空気を加熱する加熱作動及び空気を冷却する冷却作動の両方を実行可能に構成されている。これにより、第１温調部１０２は、冷却作動するだけの構成を備えればよく、構成の簡素化及びコストの低減を図ることができる。ちなみに、第２温調部２０２については、例えば、同一のコイルに対して冷水を供給する状態と温水を供給する状態とに切り替える冷温水コイルとしてもよい。
【００４６】
制御部３は、第１〜第３ゾーンＫ１〜Ｋ３の夫々からどのような空調要求があるかによって、その空調要求に応じた運転を行う。
【００４７】
〔空調装置の各運転〕
以下、空調装置１の各運転について説明を加える。
（第１冷房・暖房運転）
図１に示すように、第１ゾーンＫ１から冷房要求があり且つ第２、第３ゾーンＫ２、Ｋ３から暖房要求がある場合には、制御部３が、第１ゾーンＫ１を冷房し且つ第２、第３ゾーンＫ２、Ｋ３を暖房する第１冷房・暖房運転を行う。この第１冷房・暖房運転では、制御部３が、第１ファン１０１、第２ファン２０１、外気供給ファン４０４及び排気ファン４１０を作動させるとともに、第１温調部１０２を冷却作動させ、第２温調部２０２を加熱作動させ、加湿部２１０を作動させる。ダンパーについては、制御部３が、第２ダンパーＤ２、第４ダンパーＤ４、第６ダンパーＤ６、第７ダンパーＤ７、第８ダンパーＤ８、第９ダンパーＤ９、第１０ダンパーＤ１０及び第１１ダンパーＤ１１を開状態に切り換え、それ以外のダンパーを閉状態とする。風量制御装置については、制御部３が、第１〜第５風量制御装置Ｆ１〜Ｆ５にて各流路における風量を設定風量に調整する。
【００４８】
第１冷房・暖房運転では、第１系統１００により第２ゾーンＫ２からの空気を第１温調部１０２にて冷却して第１ゾーンＫ１に供給することで、第１ゾーンＫ１を冷房する。第２系統２００により、第１ゾーンＫ１からの空気を第２温調部２０２にて加熱して第２ゾーンＫ２に供給することで、第２ゾーンＫ２を暖房する。第３系統３００により、第１系統１００の一部を利用して、第３ゾーンＫ３からの空気を第２温調部２０２にて加熱し、第２温調部２０２にて加熱された空気の一部を第３ゾーンＫ３に供給することで、第３ゾーンＫ３を暖房する。外気供給系統４０１により、第１系統１００における第１温調部１０２よりも上流側に外気を供給して、第２、第３ゾーンＫ２、Ｋ３からの空気に混合させ、その混合後の空気を第１ゾーンＫ１に供給する。排気系統４０２により、第１ゾーンＫ１からの空気の一部が外部に排気される。
【００４９】
空気及び外気の流れについて説明を加えると、第１ファン１０１の通風作用により、第２ゾーンＫ２からの空気が第１還気路１０３を通して第１還気チャンバー１０４に供給されるとともに、第３ゾーンＫ３からの空気が第３還気路３０１、第１還気路１０３を通して第１還気チャンバー１０４に供給される。一方、第２ファン２０１の通風作用により、第１ゾーンＫ１からの空気が第２還気路２０３を通して第２還気チャンバー２０４に供給される。外気は、外気供給ファン４０４の通風作用により、外気供給路４０３を通して外気チャンバー４０５に供給される。ここで、第２ダンパーＤ２が開状態で且つ第３ダンパーＤ３が閉状態であるので、第１還気チャンバー１０４と外気チャンバー４０５との間が連通状態で且つ第２還気チャンバー２０４と外気チャンバー４０５との間が非連通状態となっている。これにより、外気チャンバー４０５に供給された外気は、第１還気チャンバー１０４に供給され、第１還気チャンバー１０４の空気に混合される。
【００５０】
第１還気チャンバー１０４の空気は、第１温調部１０２にて冷却され、その冷却後の空気が、第１ファン１０１、第１給気チャンバー１０６、第１給気路１０７を通して第１ゾーンＫ１に供給され、第１ゾーンＫ１が冷房される。第２還気チャンバー２０４の空気は、第２温調部２０２にて加熱され、その加熱後の空気が、加湿部２１０にて加湿され、第２ファン２０１、第２給気チャンバー２０６、第２給気路２０７を通して第２ゾーンＫ２に供給され、第２ゾーンＫ２が暖房されるとともに、第２給気チャンバー２０６に供給された空気の一部が、第２給気チャンバー２０６から分岐され、第３チャンバー３０２、第３給気路３０３を通して第３ゾーンＫ３に供給され、第３ゾーンＫ３も暖房される。
【００５１】
排気系統４０２において、第１１、第１２、第１３ダンパーＤ１１、Ｄ１２、Ｄ１３のうち、第１１ダンパーＤ１１のみが開状態であるので、排気ファン４１０の通風作用により、第１ゾーンＫ１からの空気の一部が、第２還気路２０３、第１排気路４０６、合流排気路４０９を通して外部に排気される。
【００５２】
この第１冷房・暖房運転では、制御部３が、冷房負荷の増大に伴い第１ゾーンＫ１への冷房風量を大きくすると、それに応じて第２、第３ゾーンＫ２、Ｋ３への暖房風量を小さくするように、第１〜第３風量制御装置の設定風量を可変させることができる。また、制御部３は、暖房負荷の増大に伴い第２、第３ゾーンＫ２、Ｋ３への暖房風量を大きくすると、それに応じて第１ゾーンＫ１への冷房風量を小さくするように、第１〜第３風量制御装置の設定風量を可変させることができる。このように、制御部３は、冷房負荷や暖房負荷に応じて、冷房風量や暖房風量の増減を調整するだけでなく、冷房風量と暖房風量との増減を相対的に調整させることもできる。また、暖房負荷が小さい場合等には、制御部３が、第２温調部２０２での加熱作動を断続させながら、第１冷房・暖房運転を行うことができる。例えば、暖房負荷が小さくなるに伴い暖房風量を小さくすると、冷房に用いられて温度上昇した空気が暖房要求があるゾーンへ流れ込むので、効率よく暖房を行える。また、温度上昇した空気の流れ込みによって暖房負荷を賄うことができれば、第２温調部２０２の加熱作動を停止させることもでき、消費エネルギーの低減により省エネルギー性の向上を図ることができる。
【００５３】
（第２冷房・暖房運転）
図２に示すように、第１ゾーンＫ１及び第３ゾーンＫ３から冷房要求があり且つ第２ゾーンＫ２から暖房要求がある場合には、制御部３が、第１、第３ゾーンＫ１、Ｋ３を冷房し且つ第２ゾーンＫ２を暖房する第２冷房・暖房運転を行う。この第２冷房・暖房運転では、制御部３が、第１ファン１０１、第２ファン２０１、外気供給ファン４０４及び排気ファン４１０を作動させるとともに、第１温調部１０２を冷却作動させ、第２温調部２０２を加熱作動させ、加湿部２１０を作動させる。ダンパーについては、制御部３が、第２ダンパーＤ２、第４ダンパーＤ４、第５ダンパーＤ５、第６ダンパーＤ６、第８ダンパーＤ８、第９ダンパーＤ９、第１０ダンパーＤ１０及び第１１ダンパーＤ１１を開状態に切り換え、それら以外のダンパーを閉状態とする。風量制御装置については、制御部３が、第１〜第５風量制御装置Ｆ１〜Ｆ５にて各流路における風量を設定風量に調整する。
【００５４】
第２冷房・暖房運転では、第１系統１００、第２系統２００、外気供給系統４０１、及び、排気系統４０２については、第１冷房・暖房運転（図１参照）と同様であり、第３ゾーンＫ３を暖房するのではなく、冷房する点で第１冷房・暖房運転とは異なる。よって、第３系統３００により、第１温調部１０２にて冷却された空気の一部を第３ゾーンＫ３に供給することで、第３ゾーンＫ３を冷房する。
【００５５】
空気及び外気の流れは、空調対象空間Ｋから装置本体２への空気の供給（還気）、外気の供給、及び、空調対象空間Ｋからの排気について、第１冷房・暖房運転（図１参照）と同様であるので、装置本体２にて温調された空気を空調対象空間Ｋへ供給する際の空気の流れのみ説明を加える。
【００５６】
第１温調部１０２にて冷却後の空気は、第１ファン１０１、第１給気チャンバー１０６、第１給気路１０７を通して第１ゾーンＫ１に供給され、第１ゾーンＫ１が冷房される。第１給気チャンバー１０６に供給された空気の一部が、第１給気チャンバー１０６から分岐され、第３チャンバー３０２、第３給気路３０３を通して第３ゾーンＫ３に供給され、第３ゾーンＫ３も冷房される。第２還気チャンバー２０４の空気は、第２温調部２０２にて加熱され、その加熱後の空気が、第２ファン２０１、第２給気チャンバー２０６、第２給気路２０７を通して第２ゾーンＫ２に供給され、第２ゾーンＫ２が暖房される。
【００５７】
この第２冷房・暖房運転においても、第１冷房・暖房運転（図１参照）と同様に、制御部３は、冷房負荷や暖房負荷に応じて、冷房風量や暖房風量の増減を調整することができるとともに、暖房負荷の状況等によって、第２温調部２０２での加熱作動を断続させることができる。
【００５８】
（第１冷房・冷房運転）
図３に示すように、第１〜第３ゾーンＫ１〜Ｋ３のすべてから冷房要求があり且つその冷房負荷が大きい場合には、制御部３が、第１ファン１０１及び第２ファン２０１を作動させて第１〜第３ゾーンＫ１〜Ｋ３を冷房する第１冷房・冷房運転を行う。この第１冷房・冷房運転では、制御部３が、第１ファン１０１、第２ファン２０１、外気供給ファン４０４及び排気ファン４１０を作動させるとともに、第１温調部１０２及び第２温調部２０２を冷却作動させ、加湿部２１０を作動停止させる。ダンパーについては、制御部３が、第１１ダンパーＤ１１のみを閉状態とし、それ以外のダンパーを開状態に切り換える。風量制御装置については、制御部３が、第１〜第５風量制御装置Ｆ１〜Ｆ５にて各流路における風量を設定風量に調整する。
【００５９】
第１冷房・冷房運転では、第１系統１００により第２ゾーンＫ２からの空気を第１温調部１０２にて冷却して第１ゾーンＫ１に供給することで、第１ゾーンＫ１を冷房する。第２系統２００により、第１ゾーンＫ１からの空気を第２温調部２０２にて冷却して第２ゾーンＫ２に供給することで、第２ゾーンＫ２を冷房する。第３系統３００により、第１系統１００の一部を利用して、第３ゾーンＫ３からの空気を第１温調部１０２にて冷却し、第１温調部１０２にて冷却された空気の一部に加えて、第２温調部２０２にて冷却された空気の一部を第３ゾーンＫ３に供給することで、第３ゾーンＫ３を冷房する。外気供給系統４０１により、第１系統１００における第１温調部１０２よりも上流側、及び、第２系統２００における第２温調部２０２よりも上流側の両方に外気を供給して、第１ゾーンＫ１からの空気に外気を混合させるとともに、第２、第３ゾーンＫ２、Ｋ３からの空気に外気を混合させ、その混合後の空気を第１、第２、第３ゾーンＫ１、Ｋ２、Ｋ３の夫々に供給する。排気系統４０２により、第２、第３ゾーンＫ２、Ｋ３の夫々からの空気の一部が外部に排気される。
【００６０】
空気及び外気の流れについて説明を加えると、第１ファン１０１の通風作用により、第２ゾーンＫ２からの空気が第１還気路１０３を通して第１還気チャンバー１０４に供給されるとともに、第３ゾーンＫ３からの空気が第３還気路３０１、第１還気路１０３を通して第１還気チャンバー１０４に供給される。一方、第２ファン２０１の通風作用により、第１ゾーンＫ１からの空気が第２還気路２０３を通して第２還気チャンバー２０４に供給される。外気は、外気供給ファン４０４の通風作用により、外気供給路４０３を通して外気チャンバー４０５に供給される。ここで、第２ダンパーＤ２が開状態で且つ第３ダンパーＤ３が開状態であるので、第１還気チャンバー１０４と外気チャンバー４０５と第２還気チャンバー２０４との間の夫々が連通状態となっている。これにより、外気チャンバー４０５に供給された外気は、第１還気チャンバー１０４と第２還気チャンバー２０４の両方に供給され、第１還気チャンバー１０４の空気に混合されるとともに、第２還気チャンバー２０４の空気に混合される。
【００６１】
第１還気チャンバー１０４の空気は、第１温調部１０２にて冷却され、その冷却後の空気が、第１ファン１０１、第１給気チャンバー１０６、第１給気路１０７を通して第１ゾーンＫ１に供給され、第１ゾーンＫ１が冷房される。第２還気チャンバー２０４の空気は、第２温調部２０２にて冷却され、その冷却後の空気が、第２ファン２０１、第２給気チャンバー２０６、第２給気路２０７を通して第２ゾーンＫ２に供給され、第２ゾーンＫ２が冷房される。第１給気チャンバー１０６に供給された空気の一部は、第１給気チャンバー１０６から分岐され、第３チャンバー３０２に供給され、第２給気チャンバー２０６に供給された空気の一部は、第２給気チャンバー２０６から分岐され、第３チャンバー３０２に供給される。第３チャンバー３０２では、供給される空気が混合され、第３給気路３０３を通して第３ゾーンＫ３に供給され、第３ゾーンＫ３が冷房される。
【００６２】
排気系統４０２において、第１１、第１２、第１３ダンパーＤ１１、Ｄ１２、Ｄ１３のうち、第１２、第１３ダンパーＤ１２、Ｄ１３が開状態であるので、排気ファン４１０の通風作用により、第２ゾーンＫ２からの空気の一部が、第１還気路１０３、第２排気路４０７、合流排気路４０９を通して外部に排気されるとともに、第３ゾーンＫ３からの空気の一部が、第３還気路３０１、第３排気路４０８、合流排気路４０９を通して外部に排気される。
【００６３】
（第２冷房・冷房運転）
図４に示すように、第１〜第３ゾーンＫ１〜Ｋ３のすべてから冷房要求があり且つその冷房負荷が小さい場合に、制御部３が、第１ファン１０１のみを作動させて第１〜第３ゾーンＫ１〜Ｋ３を冷房する第２冷房・冷房運転を行う。この第２冷房・冷房運転では、制御部３が、第１ファン１０１、外気供給ファン４０４及び排気ファン４１０を作動させるとともに、第１温調部１０２を冷却作動させ、第２系統２００における第２ファン２０１、第２温調部２０２及び加湿部２１０を作動停止させる。ダンパーについては、制御部３が、第１ダンパーＤ１、第２ダンパーＤ２、第４ダンパーＤ４、第５ダンパーＤ５、第７ダンパーＤ７、第８ダンパーＤ８、第９ダンパーＤ９、第１０ダンパーＤ１０、第１２ダンパーＤ１２及び第１３ダンパーＤ１３を開状態に切り換え、それ以外のダンパーを閉状態とする。風量制御装置については、制御部３が、第１〜第５風量制御装置Ｆ１〜Ｆ５にて各流路における風量を設定風量に調整する。
【００６４】
この第２冷房・冷房運転は、第１冷房・冷房運転（図３参照）に対して、第２系統２００における第２ファン２０１及び第２温調部２０２を作動停止させる点で異なる。つまり、第２系統２００では、第２ファン２０１及び第２温調部２０２を作動停止させるので、第１ファン１０１の通風作用により、第１温調部１０２にて冷却された空気を第２ゾーンＫ２に供給することで、第２ゾーンＫ２を冷房する。これにより、第２ファン２０１及び第２温調部２０２を作動させなくても、第１〜第３ゾーンＫ１〜Ｋ３を冷房でき、消費エネルギーを減少させ、省エネルギー化を図ることができる。
【００６５】
空気及び外気の流れについて説明を加えるが、空調対象空間Ｋからの排気については、第１冷房・冷房運転（図３参照）と同様であるので、説明は省略する。第１ファン１０１の通風作用により、第２ゾーンＫ２からの空気が第１還気路１０３を通して第１還気チャンバー１０４に供給されるとともに、第３ゾーンＫ３からの空気が第３還気路３０１、第１還気路１０３を通して第１還気チャンバー１０４に供給される。また、第１ダンパーＤ１が開状態であるので、第１還気チャンバー１０４と第２還気チャンバー２０４との間が連通状態となっているので、第１ファン１０１の通風作用により、第１ゾーンＫ１からの空気が、第２還気路２０３、第２還気チャンバー２０４を通して第１還気チャンバー１０４に供給され、第１還気チャンバー１０４の空気に混合される。外気は、外気供給ファン４０４の通風作用により、外気供給路４０３を通して外気チャンバー４０５に供給される。ここで、第２ダンパーＤ２が開状態で且つ第３ダンパーＤ３が閉状態であるので、第１還気チャンバー１０４と外気チャンバー４０５との間が連通状態であり且つ第２還気チャンバー２０４と外気チャンバー４０５との間が非連通状態となっている。これにより、外気チャンバー４０５に供給された外気は、第１還気チャンバー１０４に供給され、第１還気チャンバー１０４の空気に混合される。
【００６６】
第１還気チャンバー１０４の空気は、第１温調部１０２にて冷却され、その冷却後の空気が、第１ファン１０１、第１給気チャンバー１０６、第１給気路１０７を通して第１ゾーンＫ１に供給され、第１ゾーンＫ１が冷房される。また、第１給気チャンバー１０６に供給された空気の一部が、第１給気チャンバー１０６から分岐され、第３チャンバー３０２、第３給気路３０３を通して第３ゾーンＫ３に供給され、第３ゾーンＫ３が冷房される。更に、第３チャンバー３０２に供給された空気の一部が、第３チャンバー３０２から分岐され、第２給気チャンバー２０６、第２給気路２０７を通して第２ゾーンＫ２に供給され、第２ゾーンＫ２が冷房される。
【００６７】
（部分冷房運転）
図５に示すように、第１、第３ゾーンＫ１、Ｋ３のみから冷房要求がある場合には、制御部３が、第１、第３ゾーンＫ１、Ｋ３のみを冷房する部分冷房運転を行う。この部分冷房運転では、制御部３が、第１ファン１０１、外気供給ファン４０４及び排気ファン４１０を作動させるとともに、第１温調部１０２を冷却作動させ、第２系統２００における第２ファン２０１、第２温調部２０２及び加湿部２１０を作動停止させる。ダンパーについては、制御部３が、第１ダンパーＤ１、第２ダンパーＤ２、第４ダンパーＤ４、第５ダンパーＤ５、第６ダンパーＤ６、第７ダンパーＤ７、第９ダンパーＤ９、第１０ダンパーＤ１０、第１２ダンパーＤ１２及び第１３ダンパーＤ１３を開状態に切り換え、それ以外のダンパーを閉状態とする。ただし、第８ダンパーＤ８については、第２ゾーンＫ２の温度が設定温度以上になると、その暖気を外部に排気するために、制御部３が、第８ダンパーＤ８を開状態に切り換える。風量制御装置については、制御部３が、第１、第３、第４及び第５風量制御装置Ｆ１、Ｆ３、Ｆ４、Ｆ５にて各流路における風量を設定風量に調整するとともに、第２風量制御装置Ｆ２にて第２給気路２０７の風量をゼロに調整する。
【００６８】
この部分冷房運転は、第２冷房・冷房運転（図４参照）に対して、冷房するゾーンを第１、第３ゾーンＫ１、Ｋ３のみとして、空調対象空間Ｋを部分的に冷房する点で異なる。制御部３が、第２風量制御装置Ｆ２にて第２給気路２０７の風量をゼロに調整することで、第２ゾーンＫ２への空気の供給を停止している。よって、第２給気路２０７による第２ゾーンＫ２への空気の供給がない点、及び、第１還気路１０３による第２ゾーンＫ２からの空気の流通がない点以外での空気や外気の流れは、第２冷房・冷房運転（図４参照）と同様である。ただし、上述の如く、第２ゾーンＫ２の温度が設定温度以上になると、制御部３が、第８ダンパーＤ８を開状態に切り換えることで、第２ゾーンＫ２からの空気（暖気）の一部を、第１還気路１０３、第２排気路４０７、合流排気路４０９を通して外部に排気する。
【００６９】
ちなみに、この部分冷房運転では、第２風量制御装置Ｆ２にて第２給気路２０７の風量をゼロに調整することで、第２ゾーンＫ２への空気の供給を停止しているが、例えば、制御部３が、第７ダンパーＤ７を閉状態とすることで、第２ゾーンＫ２への空気の供給を停止することもできる。
【００７０】
（暖房・暖房運転）
図６に示すように、第１〜第３ゾーンＫ１〜Ｋ３のすべてから暖房要求がある場合には、制御部３が、第１〜第３ゾーンＫ１〜Ｋ３を暖房する暖房・暖房運転を行う。この暖房・暖房運転では、制御部３が、第２ファン２０１、加湿部２１０、外気供給ファン４０４及び排気ファン４１０を作動させるとともに、第２温調部２０２を加熱作動させ、第１系統１００における第１ファン１０１及び第１温調部１０２を作動停止させる。ダンパーについては、制御部３が、第１ダンパーＤ１、第３ダンパーＤ３、第５ダンパーＤ５、第６ダンパーＤ６、第７ダンパーＤ７、第８ダンパーＤ８、第９ダンパーＤ９、第１０ダンパーＤ１０、第１２ダンパーＤ１２及び第１３ダンパーＤ１３を開状態に切り換え、それ以外のダンパーを閉状態とする。風量制御装置については、制御部３が、第１〜第５風量制御装置Ｆ１〜Ｆ５にて各流路における風量を設定風量に調整する。
【００７１】
暖房・暖房運転では、第１系統１００における第１ファン１０１及び第１温調部１０２を作動停止させるので、第２ファン２０１の通風作用により、第１〜第３ゾーンＫ１〜Ｋ３からの空気を第２温調部２０２にて加熱して第１〜第３ゾーンＫ１〜Ｋ３の夫々に供給することで、第１〜第３ゾーンＫ１〜Ｋ３の夫々を暖房する。これにより、第１ファン１０１及び第１温調部１０２を作動させなくても、第１〜第３ゾーンＫ１〜Ｋ３の夫々を暖房でき、消費エネルギーを減少させ、省エネルギー化を図ることができる。
【００７２】
第２ファン２０１の通風作用により、第１系統１００における第２、第３ゾーンＫ２、Ｋ３からの空気を第２温調部２０２に供給するとともに、第２系統２００における第１ゾーンＫ１からの空気を第２温調部２０２に供給する。第１系統１００では、第２温調部２０２にて加熱された空気の一部を第１ゾーンＫ１に供給することで、第１ゾーンＫ１を暖房する。第２系統２００でも、第２温調部２０２にて加熱された空気の一部を第２ゾーンＫ２に供給することで、第２ゾーンＫ２を暖房する。第３系統３００でも、第２温調部２０２にて加熱された空気の一部を第３ゾーンＫ３に供給することで、第３ゾーンＫ２を暖房する。外気供給系統４０１により、第２系統２００における第２温調部２０２よりも上流側に外気を供給して、第１〜第３ゾーンＫ１〜Ｋ３からの空気に混合させ、その混合後の空気を第１〜第３ゾーンＫ１〜Ｋ３の夫々に供給する。排気系統４０２により、第２、第３ゾーンＫ２、Ｋ３の夫々からの空気の一部が外部に排気される。
【００７３】
空気及び外気の流れについて説明を加えると、第２ファン２０１の通風作用により、第１ゾーンＫ１からの空気が第２還気路２０３を通して第２還気チャンバー２０４に供給される。第１ダンパーＤ１が開状態であり、第１還気チャンバー１０４と第２還気チャンバー２０４との間が連通状態となっているので、第２ファン２０１の通風作用により、第２ゾーンＫ２からの空気が、第１還気路１０３、第１還気チャンバー１０４を通して第２還気チャンバー２０４に供給され、第２還気チャンバー２０４の空気に混合されるとともに、第３ゾーンＫ３からの空気が第３還気路３０１、第１還気路１０３、第１還気チャンバー１０４を通して第２還気チャンバー２０４に供給され、第２還気チャンバー２０４の空気に混合される。外気は、外気供給ファン４０４の通風作用により、外気供給路４０３を通して外気チャンバー４０５に供給される。ここで、第２ダンパーＤ２が閉状態で且つ第３ダンパーＤ３が開状態であるので、第１還気チャンバー１０４と外気チャンバー４０５との間が非連通状態であり且つ第２還気チャンバー２０４と外気チャンバー４０５との間が連通状態となっている。これにより、外気チャンバー４０５に供給された外気は、第２還気チャンバー２０４に供給され、第２還気チャンバー２０４の空気に混合される。
【００７４】
第２還気チャンバー２０４の空気は、第２温調部２０２にて加熱され、その加熱後の空気が、加湿部２１０にて加湿され、第２ファン２０１、第２給気チャンバー２０６、第２給気路２０７を通して第２ゾーンＫ２に供給され、第２ゾーンＫ２が暖房される。また、第２給気チャンバー２０６に供給された空気の一部が、第２給気チャンバー２０６から分岐され、第３チャンバー３０２、第３給気路３０３を通して第３ゾーンＫ３に供給され、第３ゾーンＫ３が暖房される。更に、第３チャンバー３０２に供給された空気の一部が、第３チャンバー３０２から分岐され、第１給気チャンバー１０６、第１給気路１０７を通して第１ゾーンＫ１に供給され、第１ゾーンＫ１が暖房される。
【００７５】
排気系統４０２において、第１１、第１２、第１３ダンパーＤ１１、Ｄ１２、Ｄ１３のうち、第１２、第１３ダンパーＤ１２、Ｄ１３が開状態であるので、排気ファン４１０の通風作用により、第２ゾーンＫ２からの空気の一部が、第１還気路１０３、第２排気路４０７、合流排気路４０９を通して外部に排気されるとともに、第３ゾーンＫ３からの空気の一部が、第３還気路３０１、第３排気路４０８、合流排気路４０９を通して外部に排気される。
【００７６】
（第１部分暖房運転）
図７に示すように、第１、第３ゾーンＫ１、Ｋ３のみから暖房要求がある場合には、制御部３が、第１、第３ゾーンＫ１、Ｋ３のみを暖房する第１部分暖房運転を行う。この第１部分暖房運転では、制御部３が、第２ファン２０１、加湿部２１０、外気供給ファン４０４及び排気ファン４１０を作動させるとともに、第２温調部２０２を加熱作動させ、第１系統１００における第１ファン１０１及び第１温調部１０２を作動停止させる。ダンパーについては、制御部３が、第１ダンパーＤ１、第３ダンパーＤ３、第５ダンパーＤ５、第６ダンパーＤ６、第７ダンパーＤ７、第９ダンパーＤ９、第１０ダンパーＤ１０、第１２ダンパーＤ１２及び第１３ダンパーＤ１３を開状態に切り換え、それ以外のダンパーを閉状態とする。ただし、第８ダンパーＤ８については、第２ゾーンＫ２の温度が設定温度以下になると、その冷気を外部に排気するために、制御部３が、第８ダンパーＤ８を開状態に切り換える。風量制御装置については、制御部３が、第１、第３、第４及び第５風量制御装置Ｆ１、Ｆ３、Ｆ４、Ｆ５にて各流路における風量を設定風量に調整するとともに、第２風量制御装置Ｆ２にて第２給気路２０７における風量をゼロに調整する。
【００７７】
第１部分暖房運転は、暖房・暖房運転（図６参照）に対して、暖房するゾーンを第１、第３ゾーンＫ１、Ｋ３のみとして、空調対象空間Ｋを部分的に暖房する点で異なる。つまり、制御部３が、第２風量制御装置Ｆ２にて第２給気路２０７の風量をゼロに調整することで、第２ゾーンＫ２への空気の供給を停止している。よって、第２給気路２０７による第２ゾーンＫ２への空気の供給がない点、及び、第１還気路１０３による第２ゾーンＫ２からの空気の流通がない点以外での空気や外気の流れは、暖房・暖房運転と同様である。ただし、上述の如く、第２ゾーンＫ２の温度が設定温度以下になると、制御部３が、第８ダンパーＤ８を開状態に切り換えることで、第２ゾーンＫ２からの空気（冷気）の一部を、第１還気路１０３、第２排気路４０７、合流排気路４０９を通して外部に排気する。
【００７８】
（第２部分暖房運転）
図８に示すように、第３ゾーンＫ３のみから暖房要求がある場合には、制御部３が、第３ゾーンＫ３のみを暖房する第２部分暖房運転を行う。この第２部分暖房運転では、制御部３が、第２ファン２０１、加湿部２１０、外気供給ファン４０４及び排気ファン４１０を作動させるとともに、第２温調部２０２を加熱作動させ、第１系統１００における第１ファン１０１及び第１温調部１０２を作動停止させる。ダンパーについては、制御部３が、第１ダンパーＤ１、第３ダンパーＤ３、第５ダンパーＤ５、第６ダンパーＤ６、第７ダンパーＤ７、第８ダンパーＤ８、第１２ダンパーＤ１２及び第１３ダンパーＤ１３を開状態に切り換え、それ以外のダンパーを閉状態とする。ただし、第１０ダンパーＤ１０については、第３ゾーンＫ３の温度が設定温度以下になると、その冷気を外部に排気するために、制御部３が第１０ダンパーＤ１０を開状態に切り換える。風量制御装置については、制御部３が、第２、第４及び第５風量制御装置Ｆ２、Ｆ４、Ｆ５にて各流路における風量を設定風量に調整するとともに、第１風量制御装置Ｆ１にて第１給気路１０７における風量をゼロに調整し且つ第３風量制御装置Ｆ３にて第３給気路３０３における風量をゼロに調整する。
【００７９】
第２部分暖房運転は、暖房・暖房運転（図６参照）に対して、暖房するゾーンを第２ゾーンＫ２のみとして、空調対象空間Ｋを部分的に暖房する点で異なる。つまり、制御部３が、第１風量制御装置Ｆ１にて第１給気路１０７の風量をゼロに調整することで、第１ゾーンＫ１への空気の供給を停止するとともに、第３風量制御装置Ｆ３にて第３給気路３０３の風量をゼロに調整することで、第３ゾーンＫ３への空気の供給を停止している。よって、第１給気路１０７による第１ゾーンＫ１への空気の供給がない点、第３給気路３０３による第３ゾーンＫ３への空気の供給がない点、第２還気路２０３による第１ゾーンＫ１からの空気の流通がない点、及び、第３還気路３０１による第３ゾーンＫ３からの空気の流通がない点以外での空気や外気の流れは、暖房・暖房運転（図６参照）と同様である。ただし、上述の如く、第３ゾーンＫ３の温度が設定温度以下になると、制御部３が、第１０ダンパーＤ１０を開状態に切り換えることで、第３ゾーンＫ３からの空気（冷気）の一部を、第３還気路３０１、第３排気路４０８、合流排気路４０９を通して外部に排気する。
【００８０】
ちなみに、この第２部分暖房運転では、第１風量制御装置Ｆ１にて第１給気路１０７における風量をゼロに調整し且つ第３風量制御装置Ｆ３にて第３給気路３０３における風量をゼロに調整することで、第１、第３ゾーンＫ１、Ｋ３への空気の供給を停止しているが、例えば、制御部３が、第７ダンパーＤ７を閉状態とすることで、第１、第３ゾーンＫ１、Ｋ３への空気の供給を停止することもできる。
【００８１】
〔空調装置の特徴構成〕
上述の如く、第１冷房・暖房運転（図１参照）や第２冷房・暖房運転（図２参照）のように、第１系統１００と第２系統２００とで各別に空気を流通させるだけでなく、第１系統１００と第２系統２００との間で空気を供給することで、例えば、第２冷房・冷房運転（図４参照）や暖房・暖房運転（図６参照）等の運転を行う。これらの運転を行うために、空調装置１には、図１に示すように、第１系統１００と第２系統２００との間で空気を供給可能とする連通部Ｐ、及び、その連通部Ｐを連通状態と非連通状態とに切換自在な切換部Ｑが備えられている。ちなみに、図２〜図８では、連通部Ｐと切換部Ｑの符号を省略する。
【００８２】
連通部Ｐは、第３チャンバー３０２から構成され、空気の流れ方向において、第１系統１００の第１ファン１０１よりも下流側部位と第２系統２００の第２ファン２０１よりも下流側部位を連通接続している。連通部Ｐは、第１給気チャンバー１０６（第１チャンバーに相当する）と第２給気チャンバー２０６（第２チャンバーに相当する）とを連通接続する。更に、連通部Ｐは、第３ゾーンＫ３に空気を供給する第３系統３００（追加系統に相当する）にも連通接続されており、第３チャンバー３０２が連通チャンバーに相当する。第３チャンバー３０２は、第１給気チャンバー１０６と第２給気チャンバー２０６とを連通接続する機能だけでなく、第３ゾーンＫ３に供給する空気として、第１給気チャンバー１０６及び第２給気チャンバー２０６から空気の供給を受ける機能も有する。これにより、複数の機能を有する第３チャンバー３０２を設けるだけで、第１系統１００と第２系統２００との間での空気の供給と第３ゾーンＫ３への空気の供給とを効率よく行える。しかも、第３チャンバー３０２自体も、装置本体２の長手方向の両端部に対称的に配置された第１給気チャンバー１０６と第２給気チャンバー２０６とを連通接続するという簡易な構成及び形状を採用できる。
【００８３】
切換部Ｑは、第５、第７ダンパーＤ５、Ｄ７から構成され、第１給気チャンバー１０６と第３チャンバー３０２との間、及び、第２給気チャンバー２０６と第３チャンバー３０２との間の夫々を連通状態と非連通状態とに切り換える。第５、第７ダンパーＤ５、Ｄ７を開状態とすることで、第１給気チャンバー１０６と第２給気チャンバー２０６との間を連通状態として、連通部Ｐを連通状態に切り換える。第５ダンパーＤ５と第７ダンパーＤ７とのいずれかを閉状態とすることで、第１給気チャンバー１０６と第２給気チャンバー２０６との間を非連通状態として、連通部Ｐを非連通状態に切り換える。
【００８４】
制御部３は、切換部Ｑにより連通部Ｐを非連通状態に切り換えて第１ファン１０１及び第２ファン２０１を作動させて第１、第２ゾーンＫ１、Ｋ２を空調する非連通運転と、切換部Ｑにより連通部Ｐを連通状態に切り換えて第１ファン１０１及び第２ファン２０１の一方を作動させて第１、第２ゾーンＫ１、Ｋ２を空調する連通運転とを行う。
【００８５】
非連通運転は、第１冷房・暖房運転（図１参照）、第２冷房・暖房運転（図２参照）に相当する。非連通運転では、第１給気チャンバー１０６と第２給気チャンバー２０６との間が非連通状態であるので、第１系統１００と第２系統２００との間での空気の供給は無い。これにより、第１系統１００における空気の流通と第２系統２００における空気の流通とを各別に行うことができ、第１ゾーンＫ１と第２ゾーンＫ２とで空調要求が異なっても、第１系統１００による第１ゾーンＫ１の冷房と第２系統２００による第２ゾーンＫ２の暖房とを適切に行える。
【００８６】
連通運転は、第２冷房・冷房運転（図４参照）、暖房・暖房運転（図６参照）に相当する。連通運転では、第３チャンバー３０２を通して第１給気チャンバー１０６と第２給気チャンバー２０６との間が連通状態であるので、第１給気チャンバー１０６の空気が第２給気チャンバー２０６に供給され、又は、第２給気チャンバー２０６の空気が第１給気チャンバー１０６に供給され、第１系統１００と第２系統２００との間での空気の供給が有る。連通運転では、第１系統１００及び第２系統２００において、第１、第２ファン１０１、２０１よりも下流側部位の第１給気チャンバー１０６と第２給気チャンバー２０６とが第３チャンバー３０２にて連通されているので、第１ファン１０１及び第２ファン２０１の一方のみを作動させても、そのファンの通風作用を第１給気チャンバー１０６及び第２給気チャンバー２０６の両方に作用させることができる。これにより、第１ファン１０１及び第２ファン２０１の一方のみを作動させ、第１温調部１０２及び第２温調部２０２の一方のみを作動させるだけで、第１ゾーンＫ１と第２ゾーンＫ２の両方に温調された空気を供給して空調でき、消費エネルギーの低減により省エネルギー化を図りつつ、構成の簡素化を図ることができる。
【００８７】
非連通運転としての第１冷房・暖房運転では、図１に示すように、第７ダンパーＤ７を開状態として、第２給気チャンバー２０６と第３チャンバー３０２との間が連通状態であるので、第２系統２００の空気が第３系統３００に供給され、第２系統２００の空気を用いて第３ゾーンＫ３を暖房できる。非連通運転としての第２冷房・暖房運転では、図２に示すように、第５ダンパーＤ５を開状態として、第１給気チャンバー１０６と第３チャンバー３０２との間が連通状態であるので、第１系統１００の空気が第３系統３００に供給され、第１系統１００の空気を用いて第３ゾーンＫ３を冷房できる。しかも、連通運転としての第２冷房・冷房運転及び暖房・暖房運転では、図４及び図６に示すように、第５、第７ダンパーＤ５、Ｄ７を開状態として、第１給気チャンバー１０６と第２給気チャンバー２０６と第３チャンバー３０２との間の夫々が連通状態であるので、第１系統１００及び第２系統２００の空気が第３系統３００に供給され、第１系統１００及び第２系統２００の空気を用いて第３ゾーンＫ３を空調できる。これにより、第３系統３００にはファンや温調部を備えなくても、第１系統１００や第２系統２００の空気を用いて第３ゾーンＫ３を空調することができる。しかも、第１系統１００の空気を用いるか、第２系統２００の空気を用いるかは、第５、第７ダンパーＤ５、第７ダンパーＤ７を切り換えるという簡易な構成でよく、構成の簡素化を図ることができる。
【００８８】
また、制御部３は、上述の連通運転及び非連通運転に加えて、切換部Ｑにより連通部Ｐを連通状態に切り換えて第１ファン１０１及び第２ファン２０１を作動させて第１、第２、第３ゾーンＫ１、Ｋ２、Ｋ３を空調する第１冷房・冷房運転（図３参照）、切換部Ｑにより連通部Ｐを連通状態に切り換えて第１ファン１０１及び第２ファン２０１の一方を作動させて特定のゾーンのみを空調する部分冷房運転（図５参照）、第１部分暖房運転（図７参照）、第２部分暖房運転（図８参照）を行える。
【００８９】
特に、第１部分暖房運転では、図７に示すように、第１系統１００及び第２系統２００において、第１、第２ファン１０１、２０１よりも下流側部位が第３チャンバー３０２にて連通されているので、第２ファン２０１のみを作動させても、その第２ファン２０１の通風作用を、第１給気チャンバー１０６及び第３チャンバー３０２に作用させることができる。これにより、第１系統１００における第１ファン１０１及び第１温調部１０２を作動停止させて、第２ファン２０１を作動させ且つ第２温調部２０２を加熱作動させることで、第１、第３ゾーンＫ１、Ｋ３を暖房できる。
【００９０】
上述の如く、連通部Ｐにて第１系統１００と第２系統２００とを連通することで、第１ファン１０１の通風作用を、第１系統１００だけでなく、第２系統２００にも作用させることができ、逆に、第２ファン２０１の通風作用を、第２系統２００だけでなく、第１系統１００にも作用させることができる。これにより、例えば、第１冷房・冷房運転（図３参照）において、第１ファン１０１及び第２ファン２０１のいずれか一方が故障しても、故障していないファンのみによって、第１冷房・冷房運転を行える。また、メンテナンス等により、第１ファン１０１及び第２ファン２０１のいずれか一方を停止させる場合にも、他方のファンを作動させることで、第１冷房・冷房運転を行うことができる。一方のファン１０１、２０１のみ作動させる場合には、温調部１０２、２０２についても一方のみ作動させる。
【００９１】
ちなみに、第２冷房・冷房運転（図４参照）、及び、部分冷房運転（図５参照）においても、第１ファン１０１及び第１温調部１０２を作動停止させて、第２ファン２０１を作動させ且つ第２温調部２０２を冷却作動させることで、夫々の運転を行える。このとき、第２ダンパーＤ２を閉状態とし、第３、第６ダンパーＤ３、Ｄ６を開状態とする。また、第２冷房・冷房運転（図４参照）では、さらに第４ダンパーＤ４を閉状態とする。これにより、故障やメンテナンス等により、一方のファン１０１、２０１及び温調部１０２、２０２のみ作動させて、第２冷房・冷房運転（図４参照）、及び、部分冷房運転（図５参照）を行える。
【００９２】
〔別実施形態〕
（１）上記実施形態では、追加系統として１つの第３系統３００を備えているが、追加系統を複数備えることもできる。この場合には、第１給気チャンバー１０６と第２給気チャンバー２０６とに連通する連通チャンバーを第３チャンバー３０２に対して並列状態で備えるとともに、その連通チャンバーと第１給気チャンバー１０６との間、及び、連通チャンバーと第２給気チャンバー２０６との間を連通状態と非連通状態とに切り換えるダンパーを備える。このように、追加系統を複数備えることで、第１ゾーンＫ１と第２ゾーンＫ２の他に複数のゾーンを有する空調対象空間Ｋであっても、それら複数のゾーンの夫々を適切に空調できる。
【００９３】
（２）上記実施形態において、追加系統としての第３系統３００を備えずに空調装置１を構成することもできる。この場合には、第３チャンバー３０２を備えずに、第１給気チャンバー１０６と第２給気チャンバー２０６とを直接連通させ、その連通部分に第１給気チャンバー１０６と第２給気チャンバー２０６との間を連通状態と非連通状態とに切り換えるダンパーを備える。
【００９４】
（３）上記実施形態では、第１温調部１０２を冷却作動のみ実行可能に構成したが、第１温調部１０２も、第２温調部２０２と同様に、冷却作動と加熱作動の両方を実行可能に構成することもできる。この場合には、第１ファン１０１を作動させ、第１温調部１０２を加熱作動させ、第２ファン２０１及び第２温調部２０２を作動停止させて、暖房・暖房運転、第１部分暖房運転、第２部分暖房運転を行うことができる。
また、第１温調部１０２を冷却作動と加熱作動の両方を実行可能に構成し、第２温調部２０２を冷却作動のみ実行可能に構成することもできる。
【００９５】
（４）上記実施形態において、装置本体２における複数のチャンバーの配置構成や形状は適宜変更が可能である。連通部Ｐは、第１給気チャンバー１０６と第２給気チャンバー２０６とを連通接続する第３チャンバー３０２を備える構成を採用しているが、例えば、第１系統１００における流路途中と第２系統２００における流路途中とを連通する連通路を備えることも可能である。
【００９６】
（５）上記実施形態において、外気供給系統４０１及び排気系統４０２を備えずに空調装置１を構成することもできる。
【００９７】
（６）上記実施形態では、第１還気路１０３が、第２ゾーンＫ２からの空気を第１還気チャンバー１０４に供給し、第２還気路２０３が、第１ゾーンＫ１からの空気を第２還気チャンバー２０４に供給しているが、逆に、第１還気路１０３が、第１ゾーンＫ１からの空気を第１還気チャンバー１０４に供給し、第２還気路２０３が、第２ゾーンＫ２からの空気を第２還気チャンバー２０４に供給することもできる。
【００９８】
（７）上記実施形態では、空調装置１にて、インテリアゾーンとペリメータゾーンとを有する空調対象空間Ｋを空調しているが、空調装置１にて、複数のゾーンを有する空調対象空を空調することもでき、各種の空調対象空間に適用可能である。
【符号の説明】
【００９９】
１        空調装置
２        装置本体
３        制御部
１００    第１系統
１０１    第１ファン
１０２    第１温調部
１０６    第１給気チャンバー（第１チャンバー）
２００    第２系統
２０１    第２ファン
２０２    第２温調部
２０６    第２給気チャンバー（第２チャンバー）
３００    第３系統（追加系統）
３０２    第３チャンバー（連通部、連通チャンバー）
Ｄ４      第４ダンパー（切換部）
Ｄ５      第５ダンパー（切換部）
Ｄ６      第６ダンパー（切換部）
Ｄ７      第７ダンパー（切換部）
Ｋ        空調対象空間
Ｋ１      第１ゾーン（インテリアゾーン）
Ｋ２      第２ゾーン（第１のペリメータゾーン）
Ｋ３      第３ゾーン（第２のペリメータゾーン）
Ｐ        連通部
Ｑ        切換部
【図１】
0006588776.tif 000002
【図２】
0006588776.tif 000003
【図３】
0006588776.tif 000004
【図４】
0006588776.tif 000005
【図５】
0006588776.tif 000006
【図６】
0006588776.tif 000007
【図７】
0006588776.tif 000008
【図８】
0006588776.tif 000009